(57)【要約】【課題】  小型化を図ることができる照明装置を提供する。【解決手段】  光源手段からの光束を導光板を使用し集光制御する照明装置において、照明装置の発光エネルギーを蓄える平板型コンデンサと、光源手段の発光動作を制御するストロボ回路基板とを有し、導光板と平板型コンデンサとストロボ回路基板のそれぞれの広い面を対向させるように重ねて配置する。【選択図】  図１
2005148092.tif 000002
【特許請求の範囲】
【請求項１】
光源手段からの光束を導光板を使用し集光制御する照明装置において、
前記照明装置の発光エネルギーを蓄える平板型コンデンサと、
前記光源手段の発光動作を制御するストロボ回路基板とを有し、
前記導光板と前記平板型コンデンサと前記ストロボ回路基板のそれぞれの広い面を対向させるように重ねて配置することを特徴とする照明装置。
【請求項２】
前記導光板は、前記光源手段に対向した入射面と、該入射面からの光束の一部を反射及び全反射させる反射面と、該入射面と対向し、該入射面よりも面積の大きな射出面とを有することを特徴とする請求項１記載の照明装置。
【請求項３】
光源手段からの光束を導光板を使用し集光制御する照明装置において、
前記照明装置の発光エネルギーを蓄える平板型コンデンサと、
前記光源手段の発光動作を制御するストロボ回路基板とを有し、
前記光源手段は閃光放電管であり、
前記ストロボ回路基板には電池昇圧のための昇圧コイルと前記閃光放電管の発光信号を出力するためのトリガコイルが実装されており、
前記導光板の入射面付近または前記閃光放電管と前記昇圧コイルまたは前記トリガコイルを重ねて配置することを特徴とする照明装置。
【請求項４】
光源手段からの光束を導光板を使用し集光制御する照明装置において、
前記照明装置の発光エネルギーを蓄える平板型コンデンサと、
前記光源手段の発光動作を制御するストロボ回路基板とを有し、
前記光源手段は閃光放電管であり、
前記ストロボ回路基板には電池昇圧のための昇圧コイルと前記閃光放電管の発光信号を出力するためのトリガコイルが実装されており、
前記平板型コンデンサの端子の間に前記昇圧コイルまたは前記トリガコイルを配置することを特徴とする照明装置。
【請求項５】
請求項１から請求項４記載の照明装置をカメラ本体に組み込んだことを特徴とするカメラ。
【発明の詳細な説明】
【技術分野】
【０００１】
本発明はカメラのストロボ等の照明装置に関するものである。詳しくは、ストロボ光学系、ストロボ回路基板、及び平板型コンデンサのレイアウトに関するものである。
【背景技術】
【０００２】
カメラ等の撮影装置に用いられている照明装置は、従来、光源（閃光放電管）と、この光源から発せられた光束を前方（被写体方向）に導く反射鏡やフレネルレンズ等の光学部材とで構成されている。
【０００３】
このような照明装置において、光源から様々な方向に射出した光束を、効率良く必要照射画角内に集光させるための提案が、従来より種々なされている。
【０００４】
近年、今まで光源の前に配置されていたフレネルレンズの代わりにプリズムやライトガイドプリズムなどの全反射を利用した光学部材を配置することによって、集光効率の向上や小型化を図った照明装置が種々と提案されている。
【０００５】
例えば、特許文献１に開示されているように、光源手段からの光束を光学部材を介して、所定の照射角の照射光として照射する照明装置において、該光学部材は該光源手段に対向した入射面、該入射面からの光束の一部を反射又は／及び全反射させる反射面、該入射面と対向し、それよりも面積の大きな射出面とを有していることとしたものが提案されている。このストロボ光学系は扁平形状に近い導光板を用いるため、光源手段からの光束（照明光）を非常に高い利用効率で照射することができる。
【０００６】
また近年、カメラの小型化、薄型化を達成するために、閃光放電管の発光用エネルギーを蓄えるメインコンデンサに扁平形状のコンデンサを用いたものが提案されている。
【０００７】
例えば、特許文献２に開示されているように、照明発光装置としての閃光放電管及びこの閃光放電管による発光光を集光し反射させる反射鏡を含むストロボユニットと、閃光放電管の発光用エネルギーを蓄える扁平形状のメインコンデンサとを具備し、このメインコンデンサを、反射鏡の形状に応じた形状に形成してストロボ反射傘の後方に配置するとしたものが提案されている。
【０００８】
また、特許文献３に開示されているように、ストロボ発光用のメインコンデンサを平板型コンデンサとすると共に、当該カメラ駆動用の電池も平板型電池とし、それら平板型コンデンサと上記平板型電池とを重ねて、当該カメラの後蓋に実装するとしたものが提案されている。
【特許文献１】特開平１０−１１５８５２号公報
【特許文献２】特開２００１−２６４８６０号公報
【特許文献３】特開２００１−３１８４１３号公報
【発明の開示】
【発明が解決しようとする課題】
【０００９】
しかしながら、特許文献２においては、平板型コンデンサを反射鏡の形状に応じた形状に形成しなければならないという欠点があった。
【００１０】
また、閃光放電管とメインコンデンサは互いに近い位置に配置された方が両者を接続するための配線を短くなり、配線の抵抗成分による電気的エネルギーのロスを少なくなるので、両者の距離を近づけた方が効率が良いことが分かっているが、特許文献３においては、平板型コンデンサと平板型電池を重ねて配置するということであって、ストロボ光学系と平板型コンデンサの位置関係については述べてはおらず、実施例にあるような裏蓋に配置した場合、電気エネルギーのロスが大きくなるという欠点があった。
【００１１】
本発明は、上記従来技術の問題点を考慮してなされたもので、照明装置の全体形状を小型化させることのできる照明装置及びそれを用いたカメラの提供を目的とする。
【課題を解決するための手段】
【００１２】
そこで本発明は、前記目的を達成するために本願における請求項１記載の発明によれば、光源手段からの光束を導光板を使用し集光制御する照明装置において、前記照明装置の発光エネルギーを蓄える平板型コンデンサと、前記光源手段の発光動作を制御するストロボ回路基板とを有し、前記導光板と前記平板型コンデンサと前記ストロボ回路基板のそれぞれの広い面を対向させるように重ねて配置することを特徴とする。
【００１３】
また、前記目的を達成するために本願における請求項２記載の発明によれば、請求項１記載の照明装置において、前記導光板は前記光源手段に対向した入射面と、該入射面からの光束の一部を反射及び全反射させる反射面と、該入射面と対向し、該入射面よりも面積の大きな射出面とを有することを特徴とする。
【００１４】
また、前記目的を達成するために本願における請求項３記載の発明によれば、光源手段からの光束を導光板を使用し集光制御する照明装置において、前記照明装置の発光エネルギーを蓄える平板型コンデンサと、前記光源手段の発光動作を制御するストロボ回路基板とを有し、前記光源手段は閃光放電管であり、前記ストロボ回路基板には電池昇圧のための昇圧コイルと前記閃光放電管の発光信号を出力するためのトリガコイルが実装されており、前記導光板の入射面付近または前記閃光放電管と前記昇圧コイルまたは前記トリガコイルを重ねて配置することを特徴とする。
【００１５】
また、前記目的を達成するために本願における請求項４記載の発明によれば、光源手段からの光束を導光板を使用し集光制御する照明装置において、前記照明装置の発光エネルギーを蓄える平板型コンデンサと、前記光源手段の発光動作を制御するストロボ回路基板とを有し、前記光源手段は閃光放電管であり、前記ストロボ回路基板には電池昇圧のための昇圧コイルと前記閃光放電管の発光信号を出力するためのトリガコイルが実装されており、前記平板型コンデンサの端子の間に前記昇圧コイルまたは前記トリガコイルを配置することを特徴とする。
また、前記目的を達成するために本願における請求項５記載の発明によれば、請求項１から５記載の照明装置において、該照明装置をカメラ本体に組み込んだことを特徴とする。
【００１６】
以上のように、本発明によれば、特開平１０−１１５８５２号公報に開示されている扁平形状に近いストロボ光学系と閃光放電管の発光用エネルギーを蓄える扁平形状のメインコンデンサと発光動作を制御するストロボ回路基板のそれぞれの広い面を対向させるように重ねて配置するので、スペース効率の良いレイアウトが可能となり、照明装置の全体形状を小型化させることが可能となる。したがって、その照明装置を使用したカメラも小型化させることが可能となる。
【００１７】
また、ストロボ光学系とストロボ基板を近接配置することで、リード線等の長さも短くなるので電気的ロスも少なくなる。
【発明の効果】
【００１８】
本発明によれば、特開平１０−１１５８５２号公報に開示されている扁平形状に近いストロボ光学系と閃光放電管の発光用エネルギーを蓄える扁平形状のメインコンデンサと発光動作を制御するストロボ回路基板のそれぞれの広い面を対向させるように重ねて配置したので、スペース効率の良いレイアウトが可能となり、照明装置の全体形状を小型化させることが可能となった。したがって、その照明装置を使用したカメラも小型化させることが可能となった。
【００１９】
また、ストロボ光学系とストロボ基板を近接配置することで、リード線等の長さも短くなったので電気的ロスも少なくなった。
【発明を実施するための最良の形態】
【００２０】
以下、本発明の実施例について説明する。
【実施例１】
【００２１】
図１から図６において本発明の照明装置の説明を行う。
【００２２】
図１は本発明の照明装置をカメラ本体（撮像装置）１の上辺部に設けたときの実施例の要部概略図である。
【００２３】
図１において、１はカメラ、２はレンズ鏡筒部であり、不図示の撮影レンズを保持している。３はファインダである。４は照明装置（発光ユニット）であり、カメラ本体１の右上部に設けている。照明装置４は光源手段としての照明を発する円筒形状の閃光放電管（閃光発光管）５と、該閃光放電管５からの放射光束のうち前方以外の、例えば後方（被写体側と反対方向）に放射される光束を被写体側へ集光反射する一次元方向に曲率を有し、内面反射を利用した反射鏡（反射笠）６と、閃光放電管４から直接入射した光束及び反射鏡６で反射して入射した光束を所定形状の光束として集光し、被写体側へ効率良く照射する照明光束導光用の光学部材（ライトガイドプリズム）７を有している。８は発光動作を制御するストロボ回路基板ある。９は発光エネルギーを蓄えるアルミ電解コンデンサであり、扁平形状の平板型コンデンサである。平板型コンデンサ９はストロボ基板８に実装されている。
【００２４】
図２は照明装置４の光学系のｙｚ断面図である。また、図３は照明装置４の光学系のｘｙ断面図である。
【００２５】
図２及び図３において、光学部材７は平板状の透明部材（ガラス、プラスチック等）より成っている。光学部材７は閃光放電管５側からの光束を入射させる入射面７ａ、入射面７ａからの光束を全反射させる為の反射面としての上下面７ｃ（７ｃ１、７ｃ２）と側面７ｄ（７ｄ１、７ｄ２）、そして入射面７ａから直接導光される光束、上下面７ｃと側面７ｄで全反射をし、又は全反射を繰り返した後に導光される光束を被写体側へ射出させる射出面７ｂとを有している。
【００２６】
光学部材７は入射面７ａと射出面７ｂとの間が導光部となっている。入射面７ａと射出面７ｂは対向配置している。即ち、入射面と射出面は撮影レンズの光軸方向に延びる線上に配置している。入射面７ａと射出面７ｂは平面又は曲率を有した正又は負の屈折力の曲面（尚、本明細書において曲面とは球面、非球面、楕円面、２次曲面、シリンドリカル面、トーリック面等を言う。）より成っている。
【００２７】
光学部材７は入射面７ａの入射面積に比べて射出面７ｂの射出面積が大きくなるような形状より成っている。例えば、光学部材７は入射面７ａから射出面７ｂにかけて側面７ｄ１、７ｄ２の距離又は／及び上下面７ｃ１、７ｃ２の距離が順次又は一定の割合で増大する形状より成っている。
【００２８】
本実施例の照明装置では閃光放電管５から射出した光束を直接、又は反射鏡６で反射させた後に光学部材７の入射面７ａに導光している。入射面７ａに入射した光束の一部は直進し、射出面５ｂに導光され、他の一部は上下面７ｃ又は／及び側面７ｄで全反射して射出面７ｂに導光される。
【００２９】
このように光学部材７の内面で全反射を繰り返すことによって集光性の高い照明光束として射出面７ｂより被写体側に所定の照明光束形状で照射している。
【００３０】
図４は本発明の実施例１を説明するための照明装置の側面図である。
【００３１】
図４において、閃光放電管５と反射鏡６と光学部材７は不図示のホルダーにより一体的に保持されており、閃光放電管５から発せられた光束を所定の照射角範囲に集光するように所定の位置に配置されている。また、光学部材７とストロボ基板８はそれぞれの広い面同士が対向するように重ねて配置されている。また、さらに平板型コンデンサ９はストロボ基板８に広い面同士が対向するように重ねて配置さてれおり、不図示の端子を半田付けして実装されている。閃光発光管５は不図示のリード線により、ストロボ基板８または平板型コンデンサ９と電気的に接続されている。
【００３２】
したがって、光学部材７とストロボ基板８と平板型コンデンサはそれぞれの広い面同士が対向するように重ねて配置されているので、空間的に無駄がないスペース効率の良い配置になっている。
【００３３】
また、１０は電池昇圧のための昇圧コイルまたは閃光放電管５の発光信号を出力するためのトリガコイルであり、ストロボ基板８に実装されている。
【００３４】
ここで、光学部材７は入射面７ａの入射面積に比べて射出面７ｂの射出面積が大きくなるような形状より成っているので、上記のように光学部材７とストロボ基板８とをそれぞれ広い面同士が対向するように重ねて配置すると、入射面７ａとストロボ基板８の間に空間ができる。そこで、比較的背の高い昇圧コイルまたはトリガコイルを入射面７ａ付近に配置することで、無駄なく空間を利用することができる。
【００３５】
また、閃光放電管５は光学部材７の入射面７ａよりも小さく、反射鏡６は光学部材７の入射面７ａとほぼ同じ大きさである。したがって、上記の空間と同様の空間が閃光放電管５とストロボ基板８の間にできるので、比較的背の高い昇圧コイルまたはトリガコイルを閃光放電管５付近に配置することで、無駄なく空間を利用することができる。
【００３６】
ここで、光学部材７の入射面７ａまたは閃光放電管５付近に実装する電気部品は昇圧コイルとトリガコイルの両方でもあっても構わない。
【００３７】
また、ストロボ光学系とストロボ基板８を近接配置することで、閃光放電管５に電気的に接続するためのリード線等の長さも短くなるので電気的ロスも少なくなる。
【実施例２】
【００３８】
次に、図５及び図６は本発明の実施例２を説明するための照明装置の斜視図である。図５はストロボ基板８に平板型コンデンサ９を実装する前の状態の図である。図６はストロボ基板８に平板型コンデンサ９を実装した状態の図である。１１は昇圧コイルである。ここで、光学部材等は不図示にしてある。
【００３９】
図５及び図６において、９ａ、９ｂは平板型コンデンサ９の端子である。平板型コンデンサ９の外装はアルミの深絞りの金属缶でできており、端子９ａ、９ｂにはそれぞれ平板型コンデンサ９の外装へのリーク電流の防止のための絶縁部材９ｃ、９ｄが付けられている。したがって、平板型コンデンサ９をストロボ基板８に実装する祭に端子９ｃ、９ｄの間に空間ができる。
【００４０】
そこで、本発明では比較的背が高く大きい昇圧コイルを平板型コンデンサ９の端子９ａ、９ｂの間に配置されるようにストロボ基板８に実装されている。こうすることで、無駄なく空間を利用することができ、スペース効率が良くなる。
ここで、昇圧コイル１１の代わりに、昇圧コイルと同様に比較的大きいトリガコイルを実装しても構わないし、その両方を実装しても構わない。
【図面の簡単な説明】
【００４１】
【図１】本発明を搭載したカメラの要部概略図
【図２】本発明の照明装置のｙｚ断面図
【図３】本発明の照明装置のｘｙ断面図
【図４】本発明の実施例１を示した側面図
【図５】本発明の実施例２を示した斜視図
【図６】本発明の実施例２を示した斜視図
【符号の説明】
【００４２】
１…カメラ本体、２…レンズ鏡筒部、３…ファインダ、４…照明装置、
５…光源手段、６…反射鏡、７…光学部材、
８…ストロボ基板、９…平板型コンデンサ、
１０…昇圧コイルまたはトリガコイル
１１…昇圧コイルまたはトリガコイル
【図１】
2005148092.tif 000003
【図２】
2005148092.tif 000004
【図３】
2005148092.tif 000005
【図４】
2005148092.tif 000006
【図５】
2005148092.tif 000007
【図６】
2005148092.tif 000008